(57)【要約】【課題】  どのような荷に対しても傷を付けることなく安全に荷振れの手直しを行うことが可能な荷下ろし作業用治具を提供する。【解決手段】  荷下ろし作業用治具１は、棒状の本体部４と、本体部４の先端に設けられて荷やパレットに当接する当接部６と、荷を吊下するロープ等に係着される引き操作を行う際に用いる鉤５ａ，５ｂからなるフック部５とを備え、当接部６はクッション性を有するカバー部材７によって被覆されている。また、本体部４は伸縮可能とされる。【選択図】図１
0003208776.tif 000002
【実用新案登録請求の範囲】
【請求項１】
棒状の本体部と、
前記本体部の先端に設けられた平面状部を有する当接部と、
前記本体部の先端近傍に設けられた鉤状のフック部と、
を備えていることを特徴とする荷下ろし作業用治具。
【請求項２】
請求項１に記載の荷下ろし作業用治具において、
前記当接部にはクッション性を有するカバー部材が設けられていることを特徴とする荷下ろし作業用治具。
【請求項３】
請求項１又は２に記載の荷下ろし作業用治具において、
前記本体部は伸縮可能とされていることを特徴とする荷下ろし作業用治具。
【請求項４】
請求項１から３のいずれか１項に記載の荷下ろし作業用治具において、
前記フック部材は、複数本設けられていることを特徴とする荷下ろし作業用治具。
【考案の詳細な説明】
【技術分野】
【０００１】
本考案は、荷下ろし作業用治具に関し、さらに詳しくは、フレキシブルコンテナやパレットに積載された荷などの荷下ろし作業を行う際に荷の位置の微調整を行うために好適な荷下ろし作業用治具に関する。
【背景技術】
【０００２】
荷を輸送する場合には、梱包された荷をパレットに積載した状態でクレーン等を利用して船やトラックへの積み込み作業が行われる。また、粉状物や粒状物を輸送する場合にはフレキシブルコンテナバッグ（以下、「フレコンバッグ」という。）が利用される。これらの荷やフレコンバッグをクレーン等によって船からトラックやトレーラーへ荷下ろしする際に荷が揺れてしまい、正しい位置へ荷下ろしできない場合がある。また、荷が揺れると他の荷や人に接触するおそれがあり大変危険でもある。そのため、荷下ろし作業では、荷を下ろす位置が決まったら玉掛け合図者の指示に基づいて荷を下ろしながら適宜に位置の微調整を行う。そのような荷下ろし作業においては、例えば特許文献１，２に示すような玉掛け作業用手鉤や玉掛け作業用補助具が利用されている。尚、玉掛け作業とは吊り具を用いて行う荷掛け及び荷外しの作業をいう。
【０００３】
特許文献１に示す玉掛け作業用手鉤は、棒状の軸部の一端に握り手を形成し、他端にＦ字形状やＣ字形状の鉤部を軸部に対して４５〜４８°の角度θの傾斜を有して形成したものである。これにより、荷を吊るしているワイヤを掴んだまま荷を下ろし位置へ誘導できるようにしている。
【０００４】
また、特許文献２に示す玉掛け作業用補助具は、棒状の操作体の一端に握り手を形成し、操作体の他端に自在継手を介して吸着体を取り付けたものである。吸着体は金属ホルダに円盤状または円環状の永久磁石を収容したものである。この玉掛け作業用補助具は、吸着体が永久磁石によって吊り物体（＝荷）に吸着するので玉掛け作業用補助具を荷に一体化でき、荷の吊り状態をコントロールすることができる。
【先行技術文献】
【特許文献】
【０００５】
【特許文献１】実用新案登録第３０４０７７０号
【特許文献２】実用新案登録第２５０３２５３号
【考案の概要】
【考案が解決しようとする課題】
【０００６】
しかし、特許文献１の玉掛け作業用手鉤は、荷姿がフレコンバッグで且つ鉤部がＦ字形状の場合、操作に失敗すると、鉤部の尖った先端がフレコンバッグを突き破る虞がある。
【０００７】
一方、特許文献２の玉掛け作業用補助具は、吊り物体（荷）が非磁性体の場合には吸着体の永久磁石が吸着しないので吸着体を吊り物体に吸着させることができず、扱える荷に制限がある。一方、磁石が強すぎると荷から引き離し難くなると共に、荷が揺れだすという問題が生じる。また、荷を押すことは可能であるが、鉤が無いのでロープに引っ掛けて引くという操作が行えないという問題がある。
【０００８】
そこで、本考案は、かかる問題点に鑑みなされたもので、どのような荷に対しても傷を付けることなく安全に荷振れの手直しを行うことが可能な荷下ろし作業用治具を提供することを目的とする。
【課題を解決するための手段】
【０００９】
上記目的を達成するため、請求項１に記載の本考案は、棒状の本体部と、前記本体部の先端に設けられた平面状部を有する当接部と、前記本体部の先端近傍に設けられた鉤状のフック部とを備えていることを特徴とする荷下ろし作業用治具を提供する。
【００１０】
上記目的を達成するため、請求項２に記載の本考案は、請求項１に記載の荷下ろし作業用治具において、前記当接部にはクッション性を有するカバー部材が設けられていることを特徴とする。
【００１１】
上記目的を達成するため、請求項３に記載の本考案は、請求項１又は２に記載の荷下ろし作業用治具において、前記本体部は伸縮可能とされていることを特徴とする。
【００１２】
上記目的を達成するため、請求項４に記載の本考案は、請求項１から３のいずれか１項に記載の荷下ろし作業用治具において、前記フック部は、複数本設けられていることを特徴とする。
【考案の効果】
【００１３】
本考案の荷下ろし作業用治具によれば、どのような荷に対しても傷を付けることなく安全且つ柔軟な操作により荷振れの手直しを行うことが可能になるという効果がある。
【図面の簡単な説明】
【００１４】
【図１】本考案に係る荷下ろし作業用治具の好ましい一実施形態を示す正面一部断面図である。
【図２】荷下ろし作業用治具の先端部の詳細を示す斜視図である。
【図３】荷下ろし作業用治具の引き寄せ作業を示す説明図である。
【図４】荷下ろし作業用治具の押し込み作業を示す説明図である。
【考案を実施するための形態】
【００１５】
以下、本考案に係る荷下ろし作業用治具について、好ましい一実施形態に基づいて詳細に説明する。図１は本考案に係る荷下ろし作業用治具の好ましい一実施形態を示す正面一部断面図、図２は先端部の詳細を示す斜視図である。
【００１６】
［荷下ろし作業用治具の構成］
荷下ろし作業用治具１は、概略として、棒状の本体部４と、本体部４の先端に設けられた平面状の当接部６と、本体部４の先端近傍に設けられた鉤状のフック部５を備えて構成されている。
【００１７】
本体部４は、アルミニウムや真鍮等の金属製のパイプ部材であって、直径の異なる複数のパイプ部材を入れ子式に内装することにより図１に示す矢印方向に自在に伸縮できるように形成されている。そして、伸縮長の固定及び解除は本体部４に設けられたロックネジ３によって行うようになっている。図示された実施形態では３段の伸縮構造としているが、２段や４段とすることもできる。また、本体部４は金属パイプに代えて、例えば木製の棒状部材を用いることもできる。本体部４の一端に設けられた把持部２は作業者の手が滑らないような滑り止めが施されている。滑り止めとしては、例えば表面に凹凸が形成されたゴム製の滑り止め部材を利用することができ、この滑り止め部材を把持部２に被覆する。
【００１８】
当接部６は、平坦な平面状部を有して本体部４の先端に設けられており、本実施形態では当接部６は平面視円形状に形成されている。この平面上部でフレコンバッグ自体或いはパレットを押し込むことで荷の位置の調整を行う。平面上部の形状は平面視円形状に限定されるものではなく、多角形状等の適宜の形状とすることができる。当接部６は力が加わるので剛性を有する鉄等の金属製材料によって形成することが好ましい。その一方で、フレコンバッグを破いたり、パレットを変形させたりすることがないように、当接部６には、クッション性を有するカバー部材７が被覆されている。カバー部材７としては、例えば伸縮性と強度を備えたゴム製とすることができるが、これに限定されえるものではない。
【００１９】
フック部５は、全体に円弧状に湾曲した長さの異なる鉤５ａ，５ｂによって形成されている。フック部５は相対的に長さの長い鉤５ａと、鉤５ａよりも相対的に長さの短い鉤５ｂを備えている。鉤５ａ，５ｂは真鍮やアルミニウム等の金属製材料によって形成されている。尚、カバー部材７を含む当接部６の表面と鉤５ａとの間には高さｈの差が設けられており、荷下ろし作業用治具１によって荷やフレコンバッグを押し出す操作をしてもフック部５が荷やフレコンバッグに接触しないようになっている。
【００２０】
本実施形態では、フック部５は、図２（ａ）に示すように、鉤５ａ，５ｂの２つが設けられているが、図２（ｂ）に示すように、１つの鉤５ａを設ける構成も可能である。また、鉤５ａ，５ｂの形状も円弧状に湾曲する形状の例を示したが、これに限らず、例えばＪ字形、Ｌ字形等の適宜の形状を採用することができる。
【００２１】
［荷下ろし作業用治具の操作］
次に、上述した荷下ろし作業用治具１の使用方法について説明する。荷下ろし作業用治具１の操作は大別して、以下の２つの作業になる。
（１）フレコンバッグ等の荷体を押し込む作業
（２）フレコンバッグ等の荷体を引き寄せる作業
それぞれの作業について以下に図面を参照しつつ説明する。図３は荷下ろし作業用治具１の引き寄せ作業を示す説明図、図４は荷下ろし作業用治具１の押し込み作業を示す説明図である。いずれの場合も、荷１０はフレコンバッグであり、図示しないクレーンによってロープ１１を介して吊り下げられた状態となっている。このような状態の荷１０を水平方向の所望の方向に微動させるために使用されるが荷下ろし作業用治具１である。尚、作業の開始前に予め必要に応じて荷下ろし作業用治具１のロックネジ３を操作し、荷下ろし作業用治具１を作業し易い長さに調節しておく。
【００２２】
まず、荷下ろし作業用治具１の引き寄せ作業について説明する。この場合、作業者２０は荷下ろし作業用治具１の把持部２を片手で持ち、複数のロープ１１のうち適宜の１本をフック部５の一方の鉤５ａで引っ掛ける。そして、その状態を維持したままで荷下ろし作業用治具１を作業者２０の方に引き寄せる。この動作により、荷１０は荷下ろし作業用治具１を引いた方向（図３に示す矢印Ａ方向）に移動する。その移動量を適宜調節することにより、荷１０を所望の位置に下ろすことができる。尚、荷１０が梱包されて図示しないパレットに積載されているような場合には、図示しないパレットを吊り下げている荷役用のロープに掛止することにより同様の作業を行えばよい。
【００２３】
次に、荷下ろし作業用治具１の押し込み作業について説明する。荷下ろし作業用治具１の当接部６の平面部分を荷１０の所定の場所に押し当て、そのまま荷下ろし作業用治具１を所望の方向（図４に示すＢ方向）に荷１０とともに水平移動させて所望の位置で荷１０を停止させる。当接部６にはカバー部材７が被覆されているので当接部６を直接フレコンバッグである荷１０に押し当ててもフレコンバッグを傷つけるおそれはない。そして、その状態を保持したまま荷１０を下ろせば所望の位置への荷下ろし作業が終了する。尚、荷１０が梱包されて図示しないパレットに積載されているような場合には、当接部６を図示しないパレットの側面又は梱包された荷１０に押し当てて上記と同様の操作を行えばよい。
【００２４】
本考案に係る荷下ろし作業用治具によれば、荷に対して傷を付けることなく安全に荷振れの手直しを行うことが可能となる。そして、当接部６にはゴム等のクッション性を有するカバー部材７が設けられているので荷１０を傷つけるおそれがない。また、本体部４を伸縮できる構造としたので荷と作業者との間の距離を適宜に設定でき、周囲の状況、荷のサイズ等に応じて作業の安全性を向上できる。また、フック部５の鉤５ａ，５ｂの数を複数とし、鉤の大小の組み合わせ又は形状の異なる組み合わせとすること等により、荷のサイズ、荷の種類、荷姿等に応じて最適な使い分けをすることができる。
【００２５】
以上のように、本考案の好ましい実施形態について詳述したが、本考案は係る特定の実施形態に限定されるものではなく、実用新案登録請求の範囲の範囲に記載された本考案の要旨の範囲内において、種々の変形・変更が可能であることはいうまでもない。例えば、クレーンで扱う荷を例にしたが、トラック等で搬送する小型の荷に対する移動等にも適用可能である。
【符号の説明】
【００２６】
１    荷下ろし作業用治具
２    把持部
３    ロックネジ
４    本体部
５    フック部
６    当接部
７    カバー部材
１０  荷
１１  ロープ
２０  作業者
【図１】
0003208776.tif 000003
【図２】
0003208776.tif 000004
【図３】
0003208776.tif 000005
【図４】
0003208776.tif 000006